Podtech/llm-jp-corpus-v4-ja_patent huggingface dataset:
(57)【要約】【課題】ブレーキとアクセルを踏み間違える事故が多い。【解決手段】アクセルとブレーキを同じパーツで作動させるため、アクセル作動システムにする場合とブレーキ作動システムでは使用者の使う筋肉等が全く違い、今までのようなアクセル作動システムとブレーキ作動システム違う動作なので、間違えるという事は少なくなる。【選択図】  図１
2018176963.tif 000002
【特許請求の範囲】
【請求項１】
より安全を提供するアクセル・ブレーキシステムであって、該各々のアクセルとブレーキの作動システムが同一パーツであって、該作動同一部材はアクセルとブレーキが同時に作動しない事を特徴することを特徴とする自動車。
【請求項２】
前記同一パーツは、アクセル、ブレーキシステムは作動させていない場合、位置復元機能を有する事を特徴とした請求項１記載の自動車。
【請求項３】
前記同一パーツは、アクセル、ブレーキシステム各々を作動させる手段として支点部材を有する事を特徴とする請求項１、請求項２に記載のの自動車。
【発明の詳細な説明】
【技術分野】
【０００１】
本発明は、自動車のアクセル・ブレーキに付与する装置でに関する。
【背景技術】
【０００２】
自動車によるアクセル及びブレーキは各々のフットパーツに分かれている。
【発明の概要】
【発明が解決しようとする課題】
【０００３】
最近はブレーキとアクセルを踏み間違えて自動車事故がニュースでよく報じられている。
【０００４】
本発明は以上のような状況に鑑みて、アクセルとブレーキを同じパーツで作動にする事により、踏み間違えを無くす事で事故をより少なくする自動車を提供する。
【課題を解決するための手段】
【０００５】
本発明によるアクセル・ブレーキ同一パーツは、例えば、そのパーツを右側に回転させた（踏み込んだ）場合、アクセルが作動し、左側に回転させた（踏み込んだ）場合ブレーキが作動する事を特徴とする。
【０００６】
本発明によれば、アクセル作動システムにする場合とブレーキ作動システムでは使用者の使う筋肉等が全く反対の為、脳の命令システムがある意味全く違い、今までのようなアクセル作動システムとブレーキ作動システム違う動作ため、間違えるという事は少なくのである。
【発明の効果】
【０００７】
本発明によりアクセルとブレーキが同一パーツの為、アクセルとブレーキを間違える事を殆ど間違えること無く出来る。
【図面の簡単な説明】
【０００８】
【図１】本発明の断面図である。
【図２】本発明の使用者から見た図である。
【図３】本発明を踏み込み動かした図である。
【発明を実施するための最良の形態】
【０００９】
次に本発明による実地例であるアクセル・ブレーキ同一パーツシステムについて、図１乃至図３を参照しつつ詳細に説明する。
【００１０】
図１、図２のアクセル・ブレーキ同一パーツ１は、そのほぼ中央部に支点部材２が設けられており、本体の自動車とを繋ぐ支点固定部材５があり、アクセル・ブレーキ同一パーツ１の側面の下にアクセル３とブレーキ４を設けている。
【００１１】
例えば、アクセル・ブレーキ同一パーツ１をアクセル３側に足で踏み込んだ場合、アクセル３側が図３のアクセル・ブレーキ同一パーツ９の様に下がり、アクセル３のスイッチが入りアクセル作動システムが作動する。
【００１２】
又、図３に示す反対側（ブレーキ４側）を踏み込んだ（押した）場合、ブレーキ４のスイッチ入りブレーキ作動システムが作動する。
【００１３】
アクセル・ブレーキ同一パーツ１は、曲線を有する支点部材２を中心にシーソーの様に動く。
【００１４】
ブレーキ４はそれぞれ図説しないが油圧システムを有している。
【００１５】
アクセル・ブレーキ同一パーツ１は使用者が踏み込む等の操作をしない場合、バネ等によりる位置復元システム部材６ａ，６ｂにより、位置復元機能を有し、使用前の位置に戻るため、アクセル３、及び、ブレーキ４のは、作動しないシステムに成っている。
【００１６】
以上、本発明はアクセル・ブレーキを同一のパーツにするのであるから、 使用者を想定して各部の寸法や動き等の設計値を定めるものである。よってそのパーツの各部の設計値（形状、寸法等）は、想定される使用者において達成されるべき各機能を有する限り、実施例の値等に拘束されるものではない。
【符号の説明】
【００１７】
１  運動装置
２  支点部材  軸部材
３  アクセル
４  ブレーキ
５  支点固定部材
【図１】
2018176963.tif 000003
【図２】
2018176963.tif 000004
【図３】
2018176963.tif 000005
(57)【要約】【課題】力の弱い方でも、容易に空き缶をつぶせる事ができる手動ハンドル式樹脂製ローラー缶つぶし器を提供する。【解決手段】樹脂製の部品（１）、（２）、（４）、（５）、（６）、（７）と金属の部品（３）、（８）を使用することで、軽量で安全かつ楽に空き缶をつぶせる事ができる。【選択図】図２
2018176267.tif 000002
【特許請求の範囲】
【請求項１】
樹脂製のハンドル（１）を樹脂製の壁（７）の外側に設け、樹脂製のローラー（２）を樹脂製の壁（７）の内側に設け、樹脂製のローラー（２）は中空パンチ構造である。樹脂製のローラー（２）は、樹脂製の壁（７）に取付けてある、金属製のラック（３）を樹脂製のハンドル（１）に取付けてある金属製のギア（８）を介して駆動する構造である。
【請求項２】
安全の為に、樹脂製のテーブル固定部品（５）、（６）を付属させて、手動ハンドル式樹脂製ローラー缶つぶし器が安全に使用できる構造になっている。
【発明の詳細な説明】
【技術分野】
【０００１】この発明は、空き缶を力のない方でも容易につぶせる手動ハンドル式樹脂製ローラー缶つぶし器に関する物である。
【背景技術】
【０００２】従来、電動式や足踏み式と言った高価で力の必要な缶つぶし器はたくさん存在した。
【先行技術文献】
【特許文献】
【０００３】
【特許文献１】特開２００４−１４８４０２（Ｐ２００４−１４８４０２Ａ）
【特許文献２】特開２００７−１６０３９４（Ｐ２００７−１６０３９４Ａ）
【発明の概要】
【発明が解決しようとする課題】
【０００４】これらは、次のような欠点があった。
（イ）大きな力が必要。
（ロ）重量が重たい。
（ハ）電気が必要。
（ニ）足を使う。
本発明は、以上のような欠点をなくすためになされたものである。
【課題を解決するための手段】
【０００５】（イ）ハンドルとラックを用いた。（１）と（３）
（ロ）脂製にすることで、軽量化を図った。（１）と（２）と（４）と（５）と（６）と（７）
（ハ）手動にすることで、電源が不要である。
（ニ）ハンドルにて動作させるため、足は必要ない。（１）
本発明は、以上の構成よりなる手動ハンドル式樹脂製ローラー缶つぶし器である。
【発明の効果】
【０００６】（イ）動作を軽く動かせる。
（ロ）安価で軽量化を実現した。
（ハ）電源が必要ない為、電気代と場所に困らない。
（ニ）足の不自由な方でも、使用できる。
【図面の簡単な説明】
【０００７】
【図１】  本発明の前方向図である。
【図２】  本発明の横方向図である。
【発明を実施するための形態】
【０００８】以下、本発明を実施するための形態について説明する。
ローレット加工されたローラー（２）にハンドル（１）が付いて、ギア（８）とラック（３）を側面に配置して動作をスムーズに行える様にした。部品（１）、（２）、（４）、（５）、（６）、（７）は樹脂と（３）金属とで構成されて、極めて軽量である。
テーブル固定用の部品（５）、（６）も付属してある。
本発明は、以上のような構造である。
これを使用するときは、テーブル固定用の部品をセットしてからベースの窪みに空き缶を置いてから、安全を確認して手を挟まれないような位置においてから、ハンドルを手前に向かって回して、安全に楽に空き缶を手動にてつぶせる事が容易である。
【符号の説明】
【０００９】１樹脂製ハンドル
２樹脂製ローレット加工の、中空パンチローラー
３金属製のラック
４窪みのある、樹脂製ベース
５樹脂製のテーブル固定部品
６樹脂製のテーブル固定部品の調整ネジ
７樹脂製のベースを囲む樹脂製の壁
８金属製のギア
【図１】
2018176267.tif 000003
【図２】
2018176267.tif 000004
(57)【要約】      （修正有）【課題】事務仕事やスーパーのレジなど薄い伝票やポリ袋など仕分けしたり読んだりするためのすべり止め指先絆創膏を提供する。【解決手段】ポリウレタン素材よりなる絆創膏１の表面を粗く加工、または、無数の微細孔５を設ける。絆創膏１が使用中剥がれにくいように、絆創膏１を指先サイズに丸くカットする。【選択図】図１
2018176699.tif 000002
【特許請求の範囲】
【請求項１】
ポリウレタン素材よりなる絆創膏の表面を粗く設け、指先サイズにカットしたすべり止め指先絆創膏である。
【発明の詳細な説明】
【技術分野】
【０００１】  本発明は、事務仕事での伝票や書類の処理作業、スーパーなどレジでのポリ袋やお札など枚数を読んだり、また、新聞紙や雑誌を捲ったりするときの絆創膏であって、すべり止め指先絆創膏に関するものである。
【背景技術】
【０００２】  従来、事務仕事やスーパーなどのレジ仕事でゴム指サックや水を含ませたスポンジに指を繰り返し湿らし作業がなされている。また、新聞紙や雑誌のページを指を舌で濡らして捲ることがなされている。
【発明の概要】
【発明が解決しようとする課題】
【０００３】  これには次のような欠点があった。
ゴム指サックは長い時間使用で指が蒸れたり、ゴムの圧迫感と見た目も悪く着脱も面倒であった。
また、水を含ませたスポンジはくり返しスポンジに指先を濡らす必要があり作業が遅れ、指先も荒れたりまた指を舌で濡らすのは不潔である。
本発明は以上のような欠点をなくすためになされたものである。
【課題を解決するための手段】
【０００４】  ポリウレタン素材よりなる、絆創膏の表面を粗く、または、無数の微細孔を設ける。絆創膏が使用中剥がれにくいように指先サイズに丸くカットし設ける。
本発明は以上の構成よりなるすべり止め指先絆創膏である。
【発明の効果】
【０００５】  本発明は丸くカットしたポリウレタン素材の粗く、または、微細孔の絆創膏を指先に貼り付けることで、蒸れたり圧迫感もなく目だたず、また、指先が水分で荒れることなく作業もスムーズにこなすことができ、新聞などのページも簡単に捲れる。
【図面の簡単な説明】
【０００６】
【図１】本発明の絆創膏使用中の斜視図である。
【図２】本発明の剥離紙上の絆創膏の斜視図である。
【図３】本発明の剥離紙上の絆創膏の平面図である。
【発明を実施するための形態】
【０００７】  以下、本発明の実施の形態を説明する。
ポリウレタン素材よりなる、絆創膏（１）の表面を粗く加工（２）した絆創膏（１）または、無数の微細孔（５）からなる絆創膏（１）を設ける。絆創膏（１）が使用中に剥がれにくいように丸くカットし設ける。また、絆創膏（１）を親指（７）、人差指（６）用に大小カットし設ける。
本発明は以上の構成よりなる。
本発明を使用する場合は、剥離紙（３）から絆創膏（１）を剥がし、親指（７）、人差指（６）の先に貼り付ける。
【符号の説明】
【０００８】      （１）絆創膏
（２）粗く加工
（３）剥離紙
（４）剥離紙開き口
（５）微細孔
（６）人差指
（７）親指
【図１】
2018176699.tif 000003
【図２】
2018176699.tif 000004
【図３】
2018176699.tif 000005
(57)【要約】【課題】  ラップトップパソコンの蓋の開閉の検出に機械的な部品を使わない様に、機械的な駆動部分を無くして故障し易い部品を減らすと共に、蓋の開閉の検出に磁石と磁気スイッチを使い、液晶のバックライトのＯＮ／ＯＦＦをする。【解決手段】  この為、この発明に於いては、ラップトップパソコンの蓋の開閉の検出には弱い磁石とリードスイッチ型の磁気スイッチを使って蓋の開閉を検出する。磁気スイッチに依って検出された蓋の開閉で液晶のバックライトをＯＮ／ＯＦＦする。リードスイッチ型の磁気スイッチなので弱い磁石で十分であり、明暗に依る光にも影響されない。強い磁石だと液晶画面が歪んだり、無線ＬＡＮやＢｌｕｅｔｏｏｔｈの電波が偏光したりするので。【特許請求の範囲】
【請求項１】
磁気スイッチを使ったラップトップパソコンのバックライトのＯＮ／ＯＦＦの方法
【発明の詳細な説明】
【技術分野】
【０００１】  この発明は、デジタルに関する物である。
【発明の概要】
【０００２】  この発明は、ラップトップパソコンの液晶のバックライトのＯＮ／ＯＦＦを、蓋の開閉を磁石と磁気スイッチに依って検出して、液晶のバックライトのＯＮ／ＯＦＦをする物である。
【背景技術】
【０００３】  今までのラップトップパソコンは、蓋の開閉を根元の蝶番にあるスイッチ等で検出し、液晶のバックライトをＯＮ／ＯＦＦしている。機械的な駆動部分の為に、このスイッチが故障し易い。
【発明の開示】
【発明が解決しようとする課題】
【０００４】  ラップトップパソコンの蓋の開閉の検出に機械的な部品を使わない様に、機械的な駆動部分を無くして故障し易い部品を減らすと共に、蓋の開閉の検出に磁石と磁気スイッチを使い、液晶のバックライトのＯＮ／ＯＦＦをする。
【課題を解決するための手段】
【０００５】  この為、この発明に於いては、ラップトップパソコンの蓋の開閉の検出には弱い磁石とリードスイッチ型の磁気スイッチを使って蓋の開閉を検出する。磁気スイッチに依って検出された蓋の開閉で液晶のバックライトをＯＮ／ＯＦＦする。リードスイッチ型の磁気スイッチなので弱い磁石で十分であり、明暗に依る光にも影響されない。強い磁石だと液晶画面が歪んだり、無線ＬＡＮやＢｌｕｅｔｏｏｔｈの電波が偏光したりするので。
【発明の効果】
【０００６】  この発明により、ラップトップパソコンの蓋の開閉の検出に機械的な部品を使わずに済み、機械的に故障し易い部品を減らすと共に、蓋の開閉の検出に弱い磁石と磁気スイッチを使う為に光にも影響されず、部屋の明かりを消しても液晶のバックライトには影響しない。機械的なスイッチよりも磁石と磁気スイッチの方がコスト的にも安く、機械的なスイッチよりも故障しにくい。
(57)【要約】      （修正有）【課題】従来のペット用トイレシートや、一般的なトイレ用使い捨てフロアマットには、表面にのみ吸水紙が設けられてシートの表面から汚物がはみ出すため、ペットのケージやトイレの床を汚さない、あるいは汚れを軽減するシートの提供。【解決手段】両面吸水シート５は、表面１と裏面２から構成され、表面１と裏面２の中間に防水シート３を設け、表面１と裏面２に吸水紙６が設けられた両面吸水シート。【選択図】図１
2018057353.tif 000002
【特許請求の範囲】
【請求項１】
両面吸水シートは、表面と裏面から構成され、表面と裏面の中間に防水シートを設け、表面と裏面には、吸水紙が設けられた、両面吸水シート。
【発明の詳細な説明】
【技術分野】
【０００１】本発明は表裏両面に吸水紙を設けた、両面吸水シートに関するものである。
【背景技術】
【０００２】従来のペット用トイレシートや、一般的なトイレ用使い捨てフロアマットには、防水シートの表面にのみ吸水紙が設けられてあった。
【発明の概要】
【発明が解決しようとする課題】
【０００３】従来のペット用トイレシートや、一般的なトイレ用使い捨てフロアマットには、防水シートの表面にのみ吸水紙が設けられてあったので、シートの表面から汚物がはみ出すと、シートの裏面に汚物がまわり、ペットのケージやトイレの床を汚していた。
【課題を解決するための手段】
【０００４】両面吸水シートは、表面と裏面から構成され、表面と裏面の中間に防水シートを設け、表面と裏面には吸水紙が設けられた両面吸水シート。
【発明の効果】
【０００５】本発明の両面吸水シートを用いることで、シートの表面からはみ出し、裏面にまわった汚物を裏面の吸水紙が素早く吸い取ることにより、ペットのケージやトイレの床を汚さない。あるいは汚れを軽減する。
【図面の簡単な説明】
【０００６】
【図１】本発明の斜視図
【図２】本発明の側面図
【発明を実施するための形態】
【０００７】以下、本発明の実施の形態について説明する。
（イ）本発明の両面吸水シート（５）は、防水シート（３）を挟んで、表面（１）と裏面      （２）から構成され、一体に形成されている。
（ロ）表面（１）と裏面（２）には吸水紙（４）（６）が設けられている。
本発明は以上のような構成である。
例えば、本発明をペット用トイレシートとして用いる時、ケージの床に敷き、その      上で用を足すようにさせる。その際、吸水紙（４）の表面（１）の外にはみ出し、      裏面（２）にまわった汚物を、裏面（２）の吸水紙（６）で素早く吸い取ることに      より、床面を汚さない。あるいは、汚れを軽減する。
また、一般的なトイレ用使い捨てフロアマットとして用いる場合も、同様な効果が      ある。
【符号の説明】
【０００８】      １表面、２裏面、３防水シート、４吸水紙、５両面吸水シート、６吸水紙
【図１】
2018057353.tif 000003
【図２】
2018057353.tif 000004
(57)【要約】【課題】  壁面を傷つけたりせずに物掛け用として用いるレールをステンレス製などの金属製の壁に設置できるようにすること。【解決手段】  物掛け用として用いるレールに、マグネット装着用の溝を設け、その溝にシリコンゴムなどで被覆されたマグネット及び磁力線集中用ステンレス製ヨークなどを配置し、ステンレス製など金属製の壁に設置できるようにした。【選択図】  図１
2018057507.tif 000002
【特許請求の範囲】
【請求項１】
取り付けるレールの溝断面に合った形状のシリコンゴムで、レール荷重を複数個で支えることが可能な磁力を持ったマグネットを被覆したことを特徴とする、レール取り付け用マグネット。
【請求項２】
前記シリコンゴムで被覆する対象を、レール荷重を複数個で支えることが可能なマグネットに加えて、磁力線を集中させることができるステンレス製などのヨークも含めたことを特徴とする、レール取り付け用マグネット。
【発明の詳細な説明】
【技術分野】
【０００１】
本発明は、ステンレス製などの金属製の壁に物掛け用にレールを取り付けるための、レール取り付けマグネットに関する。
【背景技術】
【０００２】
事務所や家庭では、壁に鞄や衣類などの物を掛ける為に、フック付きのレールを取り付けている。その場合、壁が木製であればフックが複数取り付けられた木製のレールを、ねじ止めなどで取り付けるのが一般的である。
【先行技術文献】
【特許文献】
【０００３】
特になし。レール＋取り付け＋マグネット、で特許検索すると３０５件がヒットしたが、本願に近いものは見られなかった。ネット検索では、カネテック社の磁化レールが出てくるが、異なるもの。
【発明の概要】
【発明が解決しようとする課題】
【０００４】
壁がステンレス製など金属製の場合には、レールをネジで取り付けることができないので、取り付けるレールにマグネットを装着して取り付けるものがある。しかし、この場合取り付ける金属製の壁面に、直にマグネットが触れる為、壁を傷つけたり、マグネットが滑る、錆が出る、などの問題があった。
【課題を解決するための手段】
【０００５】
本発明は、このような課題を解決する為に、マグネットをシリコンゴムで被覆し、これをレール溝に装着することとした。シリコンゴムはマグネットの磁力線を透過するので、これでレールを取り付けてもステンレス製など金属の壁への取り付け強度は十分に確保される。なおレールは、軽量のプラスチック製やアルミ製が好ましいが、木製でも軽量のものであれば構わない。この場合において、マグネットとしてはネオジム磁石を採用するのが好ましい。
【発明の効果】
【０００６】
取り付ける壁がステンレス製など金属製の場合に、マグネットが直接接触しないので取り付けた後にレールを外しても、ステンレス製など金属の壁には傷が付かない。またマグネットが滑る、錆が出るなどの問題点も解決出来る。
【図面の簡単な説明】
【０００７】
【図１】ステンレスとマグネットがシリコンゴムに被覆されたパーツの図である。
【図２】マグネットがシリコンゴムに被覆されたパーツの図である。
【図３】シリコンゴムで被覆したマグネットを装着する物掛け用レールの図である。
【図４】マグネット装着用溝の断面図である。
【発明を実施するための形態】
【０００８】
本発明の実施形態としては、物掛け用のレールの溝にマッチし、かつ外れる
ことの無いような形に形成されたシリコンゴムで、取り付けるレール荷重に複数個で耐えうるような磁力を持ったマグネットを被覆する態様とした。また磁力線集中用のステンレスパーツ（ヨーク）を、同時に被覆した態様とした。
【産業上の利用可能性】
【０００９】
一般的な事務所や家庭にあるステンレス製など金属製の壁に、シリコンゴムなどで被覆したマグネットを装着したレールを取り付けることにより、レールに付属したフックに鞄や衣類などを、手軽に掛けることができ、これを商品として販売することができるから、産業上の利用が可能である。
【符号の説明】
【００１０】
１０  物掛け用レール
２０  マグネット装着用溝
３０  マグネットを被覆したシリコンゴム
４０  マグネット
５０  磁力線集中用ステンレス（ヨーク）
６０  フック
【図１】
2018057507.tif 000003
【図２】
2018057507.tif 000004
【図３】
2018057507.tif 000005
【図４】
2018057507.tif 000006